(57)【要約】【課題】インモールドラベルに皺を生じることなく側壁の円周方向に膨出する膨出部を備えた新規なインモールドラベル容器を提供することである。【解決手段】一方にフランジ部を有する開口部を備えた有底状の容器の側壁の表面の略全面にインモールドラベルが貼設されたインモールドラベル容器であって、前記側壁は前記底部から前記フランジ部の前記首下部を縦断面直線で結んだ仮想側壁を想定した時に、前記底部から前記仮想側壁に沿う縦断面第１直線部と該縦断面第１直線部に連続して外側に膨出する縦断面曲線部とこれに連続して前記首下部に至る縦断面第２直線部とからなり、前記仮想側壁から膨出する前記縦断面曲線部の横断面の直径が該横断面と交差する前記仮想側壁により形成される仮想横断面の直径を１００としたときに１０２〜１１０％となる最大膨出部を有する前記縦断面曲線部であることを特徴とするインモールドラベル容器。【選択図】　　　　図１
2004067216.tif 000002
【特許請求の範囲】
【請求項１】
略円形状底壁と該底壁の周縁にその一方の内周端部が連接された横断面円形状の側壁と該側壁の他方の周縁にフランジ部が連接された略円筒形ないし略逆円錐台形をした一方に開口部を有する有底状の容器の前記側壁表面の略全面にインモールドラベルが貼設されたインモールドラベル容器であって、該インモールドラベル容器は底部外径が３０〜１００ｍｍφおよび前記フランジ部首下部外径が４０〜１２０ｍｍφからなると共に、前記側壁は前記底部から前記フランジ部の前記首下部を縦断面直線で結んだ仮想側壁を想定した時に、前記底部から前記仮想側壁に沿う縦断面第１直線部と該縦断面第１直線部に連続して外側に膨出する縦断面曲線部と該縦断面曲線部に連続して前記首下部に至る縦断面第２直線部とからなり、前記仮想側壁から膨出する前記縦断面曲線部の横断面の直径が該横断面と交差する前記仮想側壁により形成される仮想横断面の直径を１００としたときに１０２〜１１０％となる最大膨出部を有する前記縦断面曲線部であることを特徴とするインモールドラベル容器。
【請求項２】
略円形状底壁と該底壁の周縁にその一方の内周端部が連接された横断面円形状の側壁と該側壁の他方の周縁にフランジ部が連接された略円筒形ないし略逆円錐台形をした一方に開口部を有する有底状の容器の前記側壁表面の略全面にインモールドラベルが貼設されたインモールドラベル容器であって、該インモールドラベル容器は底部外径が３０〜１００ｍｍφおよび前記フランジ部首下部外径が４０〜１２０ｍｍφからなると共に、前記側壁は前記底部から前記フランジ部の前記首下部を縦断面直線で結んだ仮想側壁を想定したときに、前記底部から前記仮想側壁に沿う縦断面第１直線部と該縦断面第１直線部に連続して外側に膨出すると共に前記首下部に至る縦断面曲線部とからなり、前記仮想側壁から膨出する前記縦断面曲線部の横断面の直径が該横断面と交差する前記仮想側壁により形成される仮想横断面の直径を１００としたときに１０２〜１１０％となる最大膨出部を有する前記縦断面曲線部であることを特徴とするインモールドラベル容器。
【発明の詳細な説明】
【０００１】
【発明の属する技術分野】
本発明は、インモールドラベル容器に関し、さらに詳しくは、容器の側壁の略中央部に円周方向に膨出する膨出部を有するインモールドラベル容器に関するものである。
【０００２】
【従来の技術】
従来から、インモールドラベル容器として、円形状底壁と該底壁の周縁にその一方の内周端部が連接された横断面円形状の側壁と該側壁の他方の周縁にフランジ部が連接された円筒形ないし逆円錐台形をした（一方に開口部を有する）有底状の容器が知られている。インモールドラベル容器は熱接着性樹脂層をもつラベルを金型内に配置し、射出樹脂を金型内に射出し、この樹脂の熱によりラベルの熱接着性樹脂層を溶融して成形と同時にラベルを側壁の表面に接着固定したものである。
【０００３】
上記のようなインモールドラベル容器は、ラベルに美麗な印刷を施すことができるために、訴求効果において優れると共に軽量で、清潔感があり、扱いやすいなどの理由からコーヒーやジュース等の飲料、あるいは、ヨーグルトやゼリー、プリン等の食品の容器として広く使用されている。
【０００４】
しかしながら、上記した食品等の容器として使用されているインモールドラベル容器は、大小の差はあるものの円筒形状や逆円錐台形状からなるものが殆どであり、商品の差別化という点においては不満の残るものであった。また、他方において、特にコーヒーやジュース等の飲料向けに代表されるような縦長のスリムな容器は、側壁が直線状であるために手で持ったときの安定感にかけるという問題があり、これの解決が要望されていた。
【０００５】
上記問題を解決するものとして、たとえば、側壁の略中央部に円周方向に括れ部Ｂを設けた図４に示すような容器Ｙがあるが、このような形状の側壁に起伏のある容器において側壁の表面全面にインモールドラベルを貼設したインモールドラベル容器とすると、図示はしないがインモールドラベルに皺が入るという不具合が生じるために、従来はインモールドラベルを使用せず、図示はしないが、容器を成形後にタックシールラベルを側壁表面に貼着するなり、あるいは、熱収縮フィルムを用いて、側壁表面全周ないし容器の外表面全体を被覆するなりの方法が採られ、インモールドラベル容器と比べると結構手間のかかるものであった。
【０００６】
【発明が解決しようとする課題】
そこで本発明の第１の目的とするところは、インモールドラベルに皺を生じることなく側壁の円周方向に膨出する膨出部を備えた新規なインモールドラベル容器を提供することであり、第２の目的とするところは、商品の差別化を図ることができると共に手で持ったときの安定感を付与することができる新規なインモールドラベル容器を提供することである。
【０００７】
本発明者は、上記課題を達成するために、請求項１記載の本発明は、略円形状底壁と該底壁の周縁にその一方の内周端部が連接された横断面円形状の側壁と該側壁の他方の周縁にフランジ部が連接された略円筒形ないし略逆円錐台形をした一方に開口部を有する有底状の容器の前記側壁表面の略全面にインモールドラベルが貼設されたインモールドラベル容器であって、該インモールドラベル容器は底部外径が３０〜１００ｍｍφおよび前記フランジ部首下部外径が４０〜１２０ｍｍφからなると共に、前記側壁は前記底部から前記フランジ部の前記首下部を縦断面直線で結んだ仮想側壁を想定した時に、前記底部から前記仮想側壁に沿う縦断面第１直線部と該縦断面第１直線部に連続して外側に膨出する縦断面曲線部と該縦断面曲線部に連続して前記首下部に至る縦断面第２直線部とからなり、前記仮想側壁から膨出する前記縦断面曲線部の横断面の直径が該横断面と交差する前記仮想側壁により形成される仮想横断面の直径を１００としたときに１０２〜１１０％となる最大膨出部を有する前記縦断面曲線部であることを特徴とするものである。
【０００８】
また、請求項２記載の本発明は、略円形状底壁と該底壁の周縁にその一方の内周端部が連接された横断面円形状の側壁と該側壁の他方の周縁にフランジ部が連接された略円筒形ないし略逆円錐台形をした一方に開口部を有する有底状の容器の前記側壁表面の略全面にインモールドラベルが貼設されたインモールドラベル容器であって、該インモールドラベル容器は底部外径が３０〜１００ｍｍφおよび前記フランジ部首下部外径が４０〜１２０ｍｍφからなると共に、前記側壁は前記底部から前記フランジ部の前記首下部を縦断面直線で結んだ仮想側壁を想定したときに、前記底部から前記仮想側壁に沿う縦断面第１直線部と該縦断面第１直線部に連続して外側に膨出すると共に前記首下部に至る縦断面曲線部とからなり、前記仮想側壁から膨出する前記縦断面曲線部の横断面の直径が該横断面と交差する前記仮想側壁により形成される仮想横断面の直径を１００としたときに１０２〜１１０％となる最大膨出部を有する前記縦断面曲線部であることを特徴とするものである。
【０００９】
上記請求項１、２の構成とすることにより、インモールドラベルに皺が入るという不具合を生じることなく、容器の側壁の略中央部に円周方向に膨出した膨出部を有する容器とすることができ、意匠性に優れると共に手で持ったときに膨出部で容器を支えることができるために安定感のあるインモールドラベル容器とすることができる。また、成形と同時にインモールドラベルが容器の側壁表面全周に設けられるために、従来この種の容器で行っていたタックシールラベルを側壁表面に貼着するなり、あるいは、熱収縮フィルムを用いて、側壁表面全周ないし容器の外表面全体を被覆するといった作業をなくすことができる。また、請求項２の構成は請求項１の構成に比べて、より意匠性に優れたものとすることができるが反面、金型構造が、たとえば、割り型構造となり生産性が低下する虞がある。
【００１０】
【発明の実施の形態】
上記の本発明について、図面等を用いて以下に詳述する。
図１は本発明にかかるインモールドラベル容器の一実施例を示す斜視図、図２は図１の縦断面を図解的に示す図、図３は本発明にかかるインモールドラベル容器の設計上の要点を説明するための縦断面図であり、図中の１はインモールドラベル容器、２は底壁、３は側壁、４はフランジ部、５は糸底、１０はインモールドラベル、３１は縦断面第１直線部、３２は縦断面曲線部、３３は縦断面第２直線部、Ａは膨出部、Ｉは仮想側壁、Ｒ，ｒは直径、Ｓは最大膨出部の横断面、αは底部、βは首下部をそれぞれ示す。
【００１１】
図１は本発明にかかるインモールドラベル容器の一実施例を示す斜視図、図２は図１の縦断面を図解的に示す図であって、インモールドラベル容器１は略円形状底壁２と該底壁２の周縁にその一方の内周端部が連接された横断面円形状の側壁３と該側壁３の他方の周縁にフランジ部４が連接された略逆円錐台形をした一方に開口部を有する有底状の容器であって、前記壁面３の略中央部に円周方向に膨出する膨出部Ａを設けると共に前記側壁３表面の略全面にインモールドラベル１０が貼設されたものである。なお、前記円形状底壁の下部には糸底５が形成されている。
【００１２】
図３は本発明にかかるインモールドラベル容器の設計上の要点を説明するための縦断面図であって、前記インモールドラベル容器１は前記側壁３の底部α（前記底壁２の周縁に対応する位置）の外径が３０〜１００ｍｍφおよび前記フランジ部４の首下部βの外径が４０〜１２０ｍｍφからなるものであって、前記インモールドラベル容器１の前記側壁３は前記底部αから前記フランジ部４の前記首下部βを縦断面直線で結んだ仮想側壁Ｉを想定した時に、前記底部αから前記仮想側壁Ｉに沿う縦断面第１直線部３１と該縦断面第１直線部３１に連続して外側に膨出する縦断面曲線部３２と該縦断面曲線部３２に連続して前記首下部βに至る縦断面第２直線部３３とからなり、前記仮想側壁Ｉから膨出する前記縦断面曲線部３２の横断面Ｓの直径Ｒが該横断面Ｓと交差する前記仮想側壁Ｉにより形成される仮想横断面の直径ｒを１００としたときに１０２〜１１０％、好ましくは１０２〜１０５％となる最大膨出部を有するように設計することにより、インモールドラベルに皺の生じない容器とすることができる。
【００１３】
また、本実施例においては、前記縦断面曲線部３２に前記縦断面第２直線部３３が連続した事例にて説明を行ったが、図示はしないが前記縦断面曲線部３２が前記フランジ部４の前記首下部βまで連続し、直線部を有さない側壁であってもよいものである。
【００１４】
次に、インモールドラベル容器１を構成する材料について説明する。インモールドラベル容器１は、容器を成形するための容器成形用樹脂とインモールドラベル１０とで構成される。容器成形用樹脂としては、射出成形可能な熱可塑性樹脂であれば特に限定されるものではなく、たとえば、ポリプロピレン、ポリエチレン、ポリスチレン等の樹脂を用いることができる。
【００１５】
また、前記インモールドラベル１０としては、一般的に印刷基材層および上記した容器成形用樹脂と接着可能な接着層とから構成される。本発明に用いる前記印刷基材層としては、印刷が可能であって、射出成形時の樹脂の熱により、ある程度伸縮自在なフィルムが好ましく、たとえば、未延伸ポリプロピレンフィルム（以下、ＣＰＰフィルムと呼称する）、ポリスチレンフィルム（以下、ＰＳフィルムと呼称する）、あるいは、合成紙などを挙げることができる。
【００１６】
また、前記接着層としては、容器成形用樹脂と接着可能なものであれば特に限定されるものではなく、通常、前記容器成形用樹脂と同系の樹脂からなるフィルム、たとえば、ＣＰＰフィルム、未延伸ポリエチレンフィルム（以下、ＰＥフィルムと呼称する）、ＰＳフィルム、エチレン−酢酸ビニル共重合体（以下、ＥＶＡと呼称する）フィルム、あるいは、前記容器成形用樹脂と同系の樹脂を溶液化したヒートシール剤（以下、ＨＳ剤と呼称する）により形成された樹脂層などを挙げることができる。
【００１７】
前記インモールドラベル１０の具体的層構成例を挙げるとすると、前記容器成形用樹脂がプロピレン樹脂の場合ならば、たとえば、ＣＰＰフィルム（印刷基材層）／印刷層／ＣＰＰフィルム、ＣＰＰフィルム（印刷基材層）／印刷層／ＨＳ剤層（塩素化ポリプロピレン）、印刷層／合成紙〔王子油化（株）製：ユポＦＧＳ（商品名）〕等の構成を挙げることができ、また、前記容器成形用樹脂がエチレン樹脂の場合ならば、たとえば、ＣＰＰフィルム（印刷基材層）／印刷層／ＰＥフィルム、ＣＰＰフィルム（印刷基材層）／印刷層／ＨＳ剤層（塩素化ポリエチレンないしＥＶＡ）、印刷層／合成紙〔王子油化（株）製：ユポＩＴＦ（商品名）〕等の構成を挙げることができ、また、前記容器成形用樹脂がスチレン樹脂の場合ならば、たとえば、ＣＰＰフィルム（印刷基材層）／印刷層／ＨＳ剤層（アクリル系樹脂ないしＥＶＡ系樹脂）、ＰＳフィルム（印刷基材層）／印刷層／ＰＳフィルム、印刷層／合成紙〔王子油化（株）製：ユポＦＧＳ（商品名）〕等の構成を挙げることができる。
【００１８】
また、前記インモールドラベル１０がガスバリアー性を要求される場合には、前記接着層の外面側にガスバリアー層、たとえば、エチレン−酢酸ビニル共重合体ケン化物やポリ塩化ビニリデン等を設けた構成としてもよいものである。また、前記インモールドラベル１０は、常法に従い、ドライラミネーション、押出しラミネーション法、押出しコーティング法その他のコーティング法等の周知の積層法や塗布法によって形成される。
【００１９】
【発明の効果】
以上縷々説明したように、本発明は、請求項１、２に記載した構成とすることにより、インモールドラベルに皺を生じることなく側壁の円周方向に膨出する膨出部を備えた新規なインモールドラベル容器を容易に得ることができる。さらに、膨出部を備えたことにより、商品の差別化を可能とする意匠とすることができると共に手で持ったときの安定感を付与することができる新規なインモールドラベル容器を提供することができる。
【図面の簡単な説明】
【図１】本発明にかかるインモールドラベル容器の一実施例を示す斜視図である。
【図２】図１の縦断面を図解的に示す図である。
【図３】本発明にかかるインモールドラベル容器の設計上の要点を説明するための縦断面図である。
【図４】従来の容器の一例を示す図である。
【符号の説明】
１　　　　　　　　　　　　　　インモールドラベル容器
２　　　　　　　　　　　　　　底壁
３　　　　　　　　　　　　　　側壁
４　　　　　　　　　　　　　　フランジ部
５　　　　　　　　　　　　　　糸底
１０　　　　　　　　　　　　　インモールドラベル
３１　　　　　　　　　　　　　縦断面第１直線部
３２　　　　　　　　　　　　　縦断面曲線部
３３　　　　　　　　　　　　　縦断面第２直線部
Ａ　　　　　　　　　　　　　　膨出部
Ｉ　　　　　　　　　　　　　　仮想側壁
Ｒ，ｒ　　　　　　　　　　　　直径
Ｓ　　　　　　　　　　　　　　最大膨出部の横断面
α　　　　　　　　　　　　　　底部
β　　　　　　　　　　　　　　首下部
【図１】
2004067216.tif 000003
【図２】
2004067216.tif 000004
【図３】
2004067216.tif 000005
【図４】
2004067216.tif 000006